(57)【要約】【課題】  施蓋するだけで印盤の印面が内枠体の開口より露呈された下向き状態となり印面の清掃や印字体の交換作業を容易に行えるようにした。【解決手段】  外枠体２と、この外枠体２にガイドされて弾性部材６の付勢下に上下スライド自在な内枠体３と、前記外枠体２に枢着されて内枠体３のスライド動によって反転復帰する印盤４と、外枠体２内で内枠体３を上昇位置で係止ロックするロック機構１０と、内枠体３に施蓋されて該内枠体３の開口を塞ぐ着脱自在な印面キャップ７とからなる反転式印判であって、前記した印面キャップ７の内面には内枠体を押し上げる突子１１ｃが設けてあり、また、前記したロック機構１０は印面キャップ７を内枠体３に施蓋して該内枠体３の開口が印盤４の印面より上方に位置するまで印面キャップ７の突子１１ｃにより内枠体３を押し上げて外枠体２と内枠体３とを係止ロックさせて、反転した下向きの印盤４をロックするよう設定してある。【選択図】図１
2014156040.tif 000002
【特許請求の範囲】
【請求項１】
外枠体と、この外枠体にガイドされて弾性部材の付勢下に上下スライド自在な内枠体と、前記外枠体に枢着されて内枠体のスライド動によって反転復帰する印盤と、外枠体内で内枠体を上昇位置で係止ロックするロック機構と、内枠体に施蓋されて該内枠体の開口を塞ぐ着脱自在な印面キャップとからなる反転式印判であって、前記した印面キャップの内面には内枠体を押し上げる突子が設けてあり、また、前記したロック機構は印面キャップを内枠体に施蓋して該内枠体の開口が印盤の印面より上方に位置するまで印面キャップの突子により内枠体を押し上げて外枠体と内枠体とを係止ロックさせることによって、反転した下向きの印盤をロックするよう設定してあることを特徴とする反転式印判。
【請求項２】
隆条部が印面キャップの内面に形成されていて、印面キャップにより内枠体の開口を施蓋したときこの隆条部が内枠体に形成された凹部に係止されて、隆条部と内枠体に当接する印面キャップの突子とにより印面キャップを内枠体に位置決め保持させる請求項１に記載の反転式印判。
【発明の詳細な説明】
【技術分野】
【０００１】
本発明は、常時は枠内で印字体が上向きに反転されてインキパッドによるインキ補給が行なわれる状態を保持しているが、捺印操作でスライド自在な内枠体が押し上られると印字体が反転されて露呈された印字面により捺印か行なわれるようにした反転式印判に関するものである。
【背景技術】
【０００２】
従来より知られているこの種の反転式印判においては、印面の清掃や印字体の交換作業を行なえるように、非捺印時でもスライド自在な内枠体が押し上られて反転された印字体が露呈されたた状態に保持させるためのロック機構が採用されている。このようなロック機構を備えた反転式印判としては、例えば、内枠体が外枠体にロックされる奥部まで手作業で内枠体を強制的に押し込むとロックされ、ロック解除ボタンを押すとロックが解除されるものがある（例えば、特許文献１参照）。
【０００３】
しかし、このようなものは手作業で内枠体を外枠体内に押し込むため、付け爪をした女性には操作が難しいうえ、押し込み操作時にうっかり印面に触れて手指をインキで汚すという問題がある。さらに、印面キャップがないので印字体をロックしたまま携行したり、保管すると服を汚したり保管場所を汚すおそれがある。
【先行技術文献】
【特許文献】
【０００４】
【特許文献１】特開２０１１−２５６５９号公報
【発明の概要】
【発明が解決しようとする課題】
【０００５】
本発明は前記した問題を解決して、手作業で内枠体を外枠体内に押し込むことなしに印字体はその印字面が内枠体の開口より露呈された下向き状態に係止ロックされて印面の清掃や印字体の交換作業を容易に行えるようにした反転式印判を提供することを目的とするものである。
【課題を解決するための手段】
【０００６】
前記した課題を解決した本発明の反転式印判は、外枠体と、この外枠体にガイドされて弾性部材の付勢下に上下スライド自在な内枠体と、前記外枠体に枢着されて内枠体のスライド動によって反転復帰する印盤と、外枠体内で内枠体を上昇位置で係止ロックするロック機構と、内枠体に施蓋されて該内枠体の開口を塞ぐ着脱自在な印面キャップとからなる反転式印判であって、前記した印面キャップの内面には内枠体を押し上げる突子が設けてあり、また、前記したロック機構は印面キャップを内枠体に施蓋して該内枠体の開口が印盤の印面より上方に位置するまで印面キャップの突子により内枠体を押し上げて外枠体と内枠体とを係止ロックさせることによって、反転した下向きの印盤をロックするよう設定してあることを特徴とする。
【０００７】
なお、前記した突子は印面キャップにはこれを内枠体に嵌め込んで内枠体の開口を施蓋したとき前記したロック機構の作動位置まで内枠体を印盤の印面より上方に押し上げて外枠体と内枠体とを係止ロックさせるものであればよいが、隆条部が印面キャップの内面に形成されていて、印面キャップにより内枠体の開口を施蓋したときこの隆条部が内枠体に形成された凹部に係止されて、隆条部と内枠体に当接する印面キャップの突子とにより印面キャップを内枠体に位置決め保持させるようにしておくと、印面キャップの的確な位置決め保持ができるので好ましい。
【発明の効果】
【０００８】
本発明は、外枠体と、この外枠体にガイドされて弾性部材の付勢下に上下スライド自在な内枠体と、前記外枠体に枢着されて内枠体のスライド動によって反転復帰する印盤と、外枠体内で内枠体を上昇位置で係止ロックするロック機構と、内枠体に施蓋されて該内枠体の開口を塞ぐ着脱自在な印面キャップとからなる反転式印判であるので、常時は枠内で印盤は印面が上向きに反転されてインキパッドによるインキ補給が行なわれる状態を保持しているが、捺印操作でスライド自在な内枠体が押し上られると印字体が反転されて内枠体の開口より露呈された印面により捺印を行えることは従来のこの種の反転式印判と同様であるが、特に、本発明では前記したように、印面キャップが単に内枠体の開口を塞ぐためのものではなく、内枠体の開口を施蓋したとき、外枠体内で内枠体を押し上げる突子が印面キャップの内面に設けられており、また、ロック機構は印面キャップの施蓋によって内枠体が押し上げられると作動して内枠体を外枠体に係止ロックするよう設定してあるので、この内枠体の押し上げにより反転した印盤は下向きの状態としてロックされることとなり、印面キャップで内枠体の開口を塞ぐという通常の操作を行なうだけで、印面キャップを外したときでも印盤の印面が露呈された状態に保持されるものとなり、印面の清掃や、印字体の交換作業等のメンテナンスが容易に行えることとなる。
【０００９】
しかも、ロック機構による外枠体と内枠体とのロック係止は、印面キャップを内枠体に施蓋することにより行われるので構造が簡素化され、また、印面キャップを施蓋するだけで手作業により内枠体を外枠体内に押し込む必要がないため、付け爪をした女性でも簡単に操作できるうえにうっかり印面に触れて手指をインキで汚すことがなく、さらに、印面キャップで印面は覆われるのでそのまま携行したり保管しても服を汚したり保管場所を汚すおそれがない。
【００１０】
また、請求項２のように、隆条部が印面キャップの内面に形成されていて、印面キャップにより内枠体の開口を施蓋したときこの隆条部が内枠体に形成された凹部に係止されて、隆条部と内枠体に当接する印面キャップの突子とにより印面キャップを内枠体に位置決め保持させるようにしておくと、特別な保持機構を設けなくても印面キャップの的確な位置決め保持ができる。
【図面の簡単な説明】
【００１１】
【図１】本発明の好ましい実施形態を示す縦断断面図である。
【図２】同じく９０度位相をずらした縦断断面図である。
【図３】カム機構の作動状態を示す説明図である。
【図４】同じく印面キャップを施蓋した係止ロック状態を示す縦断断面図である。
【図５】同じく捺印状態を示す縦断断面図である。
【図６】本発明の好ましい実施形態の分解斜視図である。
【図７】印面キャップの斜視図である。
【図８】同じく縦断断面図である。
【図９】印盤の斜視図である。
【発明を実施するための形態】
【００１２】
次に、本発明を好ましい実施形態を図に基づいて詳細に説明する。
１は印判本体であり、該印判本体１は外枠体２内を上下にスライド動自在にガイドされる内枠体３と、外枠体２の先端に枢着される反転自在な印盤４と、内枠体３の基端に取付けられるインキパッド５ａ収納用のインキパッドケース５と、内枠体３を下方に付勢するスプリングコイルよりなる弾性部材６と、内枠体３の下端に施蓋保持される印面キャップ７とからなる。
【００１３】
前記外枠体２には、内枠体３と係止する係止爪２ａを前後の内壁面に形成するとともに、内枠体３の係止爪片３ａと係止爪２ａとの係止ロックを解除する解除レバー２ｂが前後の外面に形成されており、２ｃは印盤４の水平軸４ａを枢着する軸孔、８は外枠体２の上部に施蓋される天面カバーである。
【００１４】
また、内枠体３には印盤４の水平軸４ａをガイドする縦溝３ｂが形成されている。また、印盤４を反転させる回転機構９は図３、４、５に示されるように、縦溝３ｂの中間部一側方に形成されている第１板カム９ａと印盤４に形成される第２板カム９ｂとからなる。前記した第１板カム９ａは図示するように、中間の凹弧部に上下の円弧部を続かせたカム曲線を有するもので、一方、第２板カム９ｂは印盤４の外縁上部に形成され前記第１板カム９ａと嵌り合う同形状のカム曲線を有するもので、水平軸４ａの垂線中心線上に円弧部を形成し、該円弧部に左右の凹弧部を続かせたものである。
【００１５】
前述したような構成とすることにより、印盤４は非捺印状態では弾性部材６により付勢され、外枠体２より張出されている内枠体３の基方に位置し、印面をインキパッド５ａに接触させた反転状態となっているが、捺印操作により内枠体３が外枠体内２にスライド収納されると、図３に示されるように、第２板カム９ｂの下向きとなっている凹弧部と第１板カム９ａの上部の円弧部とが鎖線で示すように歯車のように噛み合い、水平軸４ａにより外枠体２と枢着されている印盤４は１８０度回転して印字体は下向きになり捺印が可能となる。
【００１６】
そして、捺印操作を完了することにより、弾性部材６によって内枠体３は下降し、この下降により図３に示されるように、第１板カム９ａの下部の円弧部と反転している第２板カム９ｂ上向きの凹弧部とが噛み合い、前記とは逆方向に印盤４を反転させて旧状に復帰する。また、携行したり保管したりする場合は、内枠体３に印面キャップ７を施蓋すれば、印面は印面キャップ７により保護されると同時に内枠体３の開口は図４に示すように、印盤４の印面より上方に押し上げられるので内枠体３と外枠体２とはロック機構１０により係止ロックされる。
【００１７】
ロック機構１０は外枠体２に形成される係止爪２ａと、内枠体３に形成される係止爪２ａと係止する係止爪片３ａと、係止ロックを解除する外枠体２に形成される解除レバー２ｂとからなるもので、内枠体３に印面キャップ７を施蓋しただけでは内枠体３と外枠体２とは係止ロックされず、印面キャップ７の突子により内枠体３の開口が印盤の印面より上方に位置するまで押し上げるとロック機構１０が作動し、内枠体３と外枠体２とが係止ロックされるものである。このため捺印操作による内枠体３の上昇はその開口が印盤の印面と略面一となる位置までとなり、内枠体３が外枠体２に係止ロックされることはない。また、ロック機構１０の解除は解除レバー２ｂを押し込むことによって、係止爪片３ａは内側に屈曲し係止爪２ａとの係止ロックが解かれ内枠体３は弾性部材６の弾発力により下降し、印盤４は反転上昇してインキパッド５ａに接触する。このような構成としているため、印面キャップ７を外しても内枠体３と外枠体２との係止ロックは解除されることがなく、印盤４をロックすることができる。
【００１８】
１１は印面キャップ７の保持機構であり、この保持機構１１は内枠体３の下端外面に形成された下拡がり弧状の凹部１１ａと、印面キャップ７の前後の内壁面に形成される隆条部１１ｂと、隆条部１１ｂを囲んで形成される突子１１ｃとからなり、図２、図４に示されるように、突子１１ｃは内枠体３の下端縁に当接させて隆条部１１ｂを凹部１１ａに係合させれば、印面キャップ７が内枠体３に正確に位置決め保持される。
【００１９】
このように構成されたものは、図４に示されるように、施蓋された印面キャップ７を外したうえ、解除レバー２ｂを押して、内枠体３と外枠体２との係止ロックを解除すると、内枠体３は弾性部材６の付勢力により、図１、２に示されるように外枠体２より張出されるから、この状態で捺印動作を行えば、弾性部材６の付勢力に抗して内枠体３は外枠体２内に収納される。このような内枠体３の上昇により、回転機構９の第１板カム９ａと第２板カム９ｂとは噛み合い印盤４は反転し印面を下向きにするので、図５に示される状態となって捺印が行なわれ、捺印が完了すれば、内枠体３は弾性部材６の付勢力により下降して外枠体２より張出され旧状に復帰し、印面はインキパッド５ａと接触してインキが付着される。このようにして、捺印毎、印盤４は反転されて印面にインキを付着させるので常に鮮明な捺印を行うことができる。
【００２０】
そして、長期使用により汚損された印面を清掃したり、印字体を交換したりする場合は、解除レバー２ｂを操作せずに印面キャップ７を外せば、外枠体２と内枠体３とは係止ロックされたままとなり、印盤４は印面を下向きとした反転状態のままロックされているので、下向きに露呈された印面７を清掃したり、印字体を交換すればよい。再び、捺印操作を行う場合には、外枠体２の解除レバー２ｂを押せば係止ロックは解除されて、内枠体３は弾性部材６の付勢力により下降し、回転機構９を介して印盤４は反転し、印字体をインキパッド５ａに接触させるので、押印操作を行えば新たにインキが印面に付着された印盤４は反転下降して鮮明な捺印が行なわれる。
【符号の説明】
【００２１】
１  印判本体
２  外枠体
2a  係止爪
2b  解除レバー
2c  軸孔
３  内枠体
3a  係止爪片
3b  縦溝
４  印盤
4a  水平軸
５  インキパッドケース
5a  インキパッド
６  弾性部材
７  印面キャップ
８  天面カバー
９  回転機構
9a  第１板カム
9b  第２板カム
10  ロック機構
11  保持機構
11a 凹部
11b 隆条部
11c 突子
【図１】
2014156040.tif 000003
【図２】
2014156040.tif 000004
【図３】
2014156040.tif 000005
【図４】
2014156040.tif 000006
【図５】
2014156040.tif 000007
【図６】
2014156040.tif 000008
【図７】
2014156040.tif 000009
【図８】
2014156040.tif 000010
【図９】
2014156040.tif 000011
【手続補正書】
【提出日】平成25年5月10日(2013.5.10)
【手続補正１】
【補正対象書類名】図面
【補正対象項目名】図１
【補正方法】変更
【補正の内容】
【図１】
2014156040.tif 000012
【手続補正２】
【補正対象書類名】図面
【補正対象項目名】図２
【補正方法】変更
【補正の内容】
【図２】
2014156040.tif 000013
【手続補正３】
【補正対象書類名】図面
【補正対象項目名】図４
【補正方法】変更
【補正の内容】
【図４】
2014156040.tif 000014
【手続補正４】
【補正対象書類名】図面
【補正対象項目名】図５
【補正方法】変更
【補正の内容】
【図５】
2014156040.tif 000015
【手続補正５】
【補正対象書類名】図面
【補正対象項目名】図６
【補正方法】変更
【補正の内容】
【図６】
2014156040.tif 000016
【手続補正６】
【補正対象書類名】図面
【補正対象項目名】図７
【補正方法】変更
【補正の内容】
【図７】
2014156040.tif 000017
【手続補正７】
【補正対象書類名】図面
【補正対象項目名】図８
【補正方法】変更
【補正の内容】
【図８】
2014156040.tif 000018